(57)【特許請求の範囲】
【請求項１】
ネット式の防護柵において、そのネットを張るためのロープを止める支柱の支柱キャップであって、
前記支柱の頂面にかぶさるキャップの働きをする円板部と、この円板部の下面に突設されて前記支柱に固定可能な取付け脚部と、前記円板部の上面に突設されかつ上方に行くにしたがって太くなることにより形成される傾斜外周面を有する円柱状のロープ係止部と、このロープ係止部の下部に横向きに穿けられてロープが二本分通る大きさを有するロープ通し穴とを備えたことを特徴とする支柱キャップ。
【請求項２】
ロープ係止部の上面に凹みを設けてロープ係止部の円柱状の上半分を円筒状とし、かつこの円筒状により形成されるロープ係止部の環状上面にロープが嵌まる幅を有する少なくとも２個のロープ掛け凹部を設けたことを特徴とする請求項１に記載の支柱キャップ。
【請求項３】
支柱と、この支柱の頂面にかぶせるための請求項１または２に記載の支柱キャップとを含むことを特徴とする支柱セット。
【請求項４】
請求項３に記載の支柱セットと、各支柱間に張られるネットと、ネットの網目を通して各支柱キャップに係止されるロープとを含むことを特徴とする防護柵セット。
【発明の詳細な説明】
【技術分野】
【０００１】
本発明は、猪、鹿、山羊などの野生動物の侵入を防ぐための防護柵の支柱キャップに関し、特に防護柵のネットを張るためのロープを簡単かつ強固に係止するための支柱キャップに関するものである。
【背景技術】
【０００２】
野生動物の侵入を防ぐための防護柵としては、支柱間にネットを張り、ロープで支柱間のネットを支柱に固定するネット式の防護柵が一般的である。
従来のこの種のネット式防護柵は、例えば図１２に示すように支柱１に渡した上下二本のロープ２、３を用いてネット４を張る構成のものが一般的で、支柱１の頂部には支柱キャップ５がかぶせられている。ロープ２は延々と続く長いもので、ネット４の網目に通して各支柱１にそれぞれ止められている。したがって、各支柱１においては、ロープ２を他のもので結び止めるとか、金具を用いて止めるようにしている。
【０００３】
しかしながら、前記した従来のロープを金具などを用いて支柱に固定する方法では、長いロープを多くの支柱に順次固定するのに一本の支柱毎のロープ固定に多大な手間が掛かり、また、金具などの取付部品も一本の支柱毎に必要となり、極めて煩わしかった。また、金具などの特別な部品を用いずにロープを支柱に固定した場合は、支柱へのロープの固定が不十分であったり、ロープが緩んでネットがはずれるという問題があった。
【発明の概要】
【発明が解決しようとする課題】
【０００４】
本発明は、かかる従来技術の問題に鑑み創案されたものであり、その目的は、野生動物の侵入を防ぐネット式の防護柵において、そのネットを張るためのロープを簡単かつ強固に支柱に固定するために使用する支柱キャップを提供することにある。
【課題を解決するための手段】
【０００５】
本発明者は、上記目的を達成するために鋭意検討した結果、支柱キャップの構造を工夫することにより、ロープの固定作業が容易になり、かつロープの固定が強固になることを見出し、本発明の完成に至った。
【０００６】
即ち、本発明は、以下の（１）〜（４）の構成を有するものである。
（１）ネット式の防護柵において、そのネットを張るためのロープを止める支柱の支柱キャップであって、
前記支柱の頂面にかぶさるキャップの働きをする円板部と、この円板部の下面に突設されて前記支柱に固定可能な取付け脚部と、前記円板部の上面に突設されかつ上方に行くにしたがって太くなることにより形成される傾斜外周面を有する円柱状のロープ係止部と、このロープ係止部の下部に横向きに穿けられてロープが二本分通る大きさを有するロープ通し穴とを備えたことを特徴とする支柱キャップ。
（２）ロープ係止部の上面に凹みを設けてロープ係止部の円柱状の上半分を円筒状とし、かつこの円筒状により形成されるロープ係止部の環状上面にロープが嵌まる幅を有する少なくとも２個のロープ掛け凹部を設けたことを特徴とする（１）に記載の支柱キャップ。
（３）支柱と、この支柱の頂面にかぶせるための（１）または（２）に記載の支柱キャップとを含むことを特徴とする支柱セット。
（４）（３）に記載の支柱セットと、各支柱間に張られるネットと、ネットの網目を通して各支柱キャップに係止されるロープとを含むことを特徴とする防護柵セット。
【発明の効果】
【０００７】
本発明の支柱キャップは、ロープを支柱キャップの横穴に通して一捻りする簡単な作業だけでロープを固定できるので、長いロープで多数の支柱があっても各支柱へのロープの取付け施工が特別な部品を使用したりロープを結ばなくても簡単に行えるし、また円柱状のロープ係止部が下方に行くにしたがって細くなるのでロープを引けば引くほどロープが円柱状の傾斜外周面部分に締まって強固に固定されて支柱キャップ部においてロープが緩まないという効果がある。さらに、作業時にロープを支柱キャップ部に固定する際に手で押さえていなくてもロープを仮固定することができ、ネットを張る作業がやりやすいという効果がある。
【図面の簡単な説明】
【０００８】
【図１】本発明の実施形態１を示す支柱キャップの側面図である。
【図２】図１の平面図である。
【図３】図１の支柱キャップのロープ掛け止め方を説明する図である。
【図４】図１の支柱キャップのロープ掛け止め方を説明する図である。
【図５】図１の支柱キャップのロープ掛け止め方を説明する図である。
【図６】本発明の実施形態２を示す支柱キャップの側面図である。
【図７】図６の平面図である。
【図８】図６の支柱キャップのロープ掛け止め方の一例を説明する図である。
【図９】図６の支柱キャップのロープ掛け止め方の一例を説明する図である。
【図１０】図６の支柱キャップのロープ掛け止め方の別の例を説明する図である。
【図１１】図６の支柱キャップのロープ掛け止め方の別の例を説明する図である。
【図１２】従来のネット式の防護柵を示す図である。
【発明を実施するための形態】
【０００９】
本発明の支柱キャップは、ネットを張るためのロープを止める支柱の頂面にかぶせるものであり、キャップの働きをする円板部と、この円板部の下面に突設されて支柱に固定可能な取付け脚部と、円板部の上面に突設されかつ上方に行くにしたがって太くなることにより形成される傾斜外周面を有する円柱状のロープ係止部と、このロープ係止部の下部に横向きに穿けられてロープが二本分通る大きさを有するロープ通し穴とを備えることにより、実現されるものである。また、本発明の支柱セットは、支柱と、この支柱の頂面にかぶせるための支柱キャップとを含むものである。さらに、本発明の防護柵セットは、この支柱セットと、各支柱間に張られるネットと、ネットの網目を通して各支柱キャップに係止されるロープとを含むものである。以下、本発明の実施形態を図面に基づいて説明する。
【００１０】
（実施形態１）
図１は、本発明の実施形態１を示す支柱キャップの側面図、図２は図１の平面図、図３〜図５は支柱キャップへのロープの掛け止め方を説明する図で、各図中、図１２に示す従来のものと同一又は相当部分には同一符号を付してその説明を省略する。
【００１１】
図において、５Ａは支柱キャップで、支柱１の頂面にかぶさるキャップの働きをする円板部６と、この円板部６の下面に突設されて支柱１に固定可能な取付け脚部７と、円板部６の上面に突設されかつ上方に行くにしたがって太くなることにより形成される傾斜外周面８ａを有する円柱状のロープ係止部８と、このロープ係止部８の下部に横向きに穿けられてロープが二本分通る大きさを有するロープ通し穴９とを備えて構成される。支柱キャップは一般にプラスチック樹脂から構成される。
【００１２】
支柱キャップ５Ａは、施工現場において、支柱１を設置した後に支柱１の頂部に取付けが可能であり、しかも取付け後は支柱１から容易に外れない構造を有する。つまり、支柱キャップ５Ａの取付け脚部７は図１に示すように円筒状になっていて、しかも内周面には縦溝７ａが設けられているので、この縦溝７ａに支柱１の外周面にある凸部１ａが係合することにより支柱キャップ５Ａが支柱１に強固に取付けられるようになっている。
【００１３】
施工現場においては、支柱キャップ５Ａの円板部６上にロープ２が張られるようになっている。まず、このロープ２を図３に示すようにロープ通し穴９に挿し込み、反対側にロープ２のループ部２ａを形成する。このループ部２ａを上向きに折り返して図４に示すようにロープ係止部８の傾斜外周面８ａに掛け止める。こうして掛け止めた状態を図１と同じ側からみると図５に示すようになる。
【００１４】
このようにロープ２のループ部２ａをロープ係止部８の傾斜外周面８ａに掛け止めた後、ロープ２を支柱１の左右両側あるいは一方側から（矢印方向Ａに）引くと、ループ部２ａが傾斜外周面８ａに沿って（矢印方向Ｂに）下がって締まるので、このループ部２ａが強固にロープ係止部８に固定される。その際、ロープ２を引けば引くほどこの締りが強くなるので、ロープ２が支柱キャップ５Ａから緩むことがない。
【００１５】
本支柱キャップ５Ａにおいては、以上説明したようにロープ２にループ部２ａを作ってこのループ部２ａを上向きに折り返してロープ係止部８に掛け止めるだけで、簡単にロープ２を支柱キャップ５Ａに固定できる。したがって、手で支える必要がない手軽な作業で支柱１の位置においてロープ２を一捻りするだけでロープ２を支柱キャップ５Ａに簡単に固定でき、長いロープ２で多数の支柱１があっても各支柱１へのロープ２の取付け施工が簡単に行える。また、円柱状のロープ係止部８が下方に行くにしたがって細くなっているので、ロープ２を引けば引くほどロープ２が円柱状の傾斜外周面部分に締まって強固に固定されて支柱キャップ部においてロープ２が緩まないし、さらに時が経って万一ネット４が緩んでもロープ２の締め直しが支柱キャップ５Ａの部分において引くだけで簡単にできる。
【００１６】
（実施形態２）
図６は、本発明の実施形態２を示す支柱キャップの側面図、図７は図６の平面図、図８、図９は支柱キャップへのロープの掛け止め方の一例を説明する図、図１０、図１１は支柱キャップへのロープの掛け止め方の別の例を説明する図で、各図中、前記実施形態１のものと同一又は相当部分には同一符号を付してその説明を省略する。
【００１７】
図において、５Ｂは支柱キャップで、前記実施例１の支柱キャップ５Ａと同様に円板部６と取付け脚部７とロープ係止部８とロープ通し穴９とを備えると共に、上面の凹み１０により円筒状となるロープ係止部８の環状上面にロープ２が嵌まる幅を有する４個のロープ掛け凹部１１を有している。
【００１８】
次に、支柱キャップ５Ｂのロープの掛け止め方の一例（図８、図９）について説明する。
このロープの掛け止め方においては、ロープ２をロープ係止部８の上方からその２個のロープ掛け凹部１１に嵌めて、ロープ係止部８の凹み１０内でループ部２ｂを形成し、再び残りの２個のロープ掛け凹部１１を利用してループ部２ｂを外側に回し嵌めて図８に示すように４個のロープ掛け凹部１１にロープ２を渡し止める。
【００１９】
このように４個のロープ掛け凹部１１にロープ２をそのループ部２ｂを利用して渡し止めると、側面からみると図９に示すように浮いた状態にはなるが、ロープ２が４個のロープ掛け凹部１１に四ヶ所で掛け止めされることになるので、ロープ２はロープ係止部８に強固に固定される。
【００２０】
支柱キャップ５Ｂのロープの掛け止め方は、図８，９に示す例に限らず、例えばロープ２をロープ係止部８の上方から図１０のように対向する２つのロープ掛け凹部１１に嵌めたり、または図１１のように隣り合う２つのロープ掛け凹部１１に嵌めたりして、ロープを渡し止めることもできる。
【００２１】
なお、本実施形態の支柱キャップ５Ｂは、その構造上ロープ係止部８の傾斜外周面８ａを有しているので、前記実施形態１のロープ掛け止め方（図３〜図５に示すロープの掛け止め方）でロープ２をロープ係止部８に固定することも可能である。
【産業上の利用可能性】
【００２２】
本発明は、猪、鹿、山羊などの野生動物の侵入を防ぐためのネット式の防護柵において、ネットをロープで支柱に止める際の支柱キャップとして広く活用することができ、本発明の支柱キャップを使用することにより、防護柵の設置作業の労力や時間を大幅に軽減することができる。
【符号の説明】
【００２３】
１  ：支柱
１ａ：凸部
２  ：ロープ
２ａ：ループ部
２ｂ：ループ部
３  ：ロープ
４  ：ネット
５  ：従来の支柱キャップ
５Ａ：本発明の支柱キャップ
５Ｂ：本発明の支柱キャップ
６  ：円板部
７  ：取付け脚部
７ａ：縦溝
８  ：ロープ係止部
８ａ：傾斜外周面
９  ：ロープ通し穴
１０：凹み
１１：ロープ掛け凹部
【図１】
0005283715.tif 000002
【図２】
0005283715.tif 000003
【図３】
0005283715.tif 000004
【図４】
0005283715.tif 000005
【図５】
0005283715.tif 000006
【図６】
0005283715.tif 000007
【図７】
0005283715.tif 000008
【図８】
0005283715.tif 000009
【図９】
0005283715.tif 000010
【図１０】
0005283715.tif 000011
【図１１】
0005283715.tif 000012
【図１２】
0005283715.tif 000013